(57)【要約】【課題】ＭＲＩ断層撮影装置における磁気共鳴（ＭＲＩ）実験時の生体監視用装置を提供する。【解決手段】この生体監視用装置は、試験対象の生体の夫々に導電接続されかつ信号線を介して監視装置に接続された１つ以上の電極を備えており、この信号線は夫々、インピーダンス回路を介して互いに電気的に接続されたライン部分を個別に備え、この生体監視用装置は、これらのライン部分の固有周波数がＮＭＲ測定周波数より高く、好ましくは２倍を超え、かつ各ライン部分はインピーダンスＺｎを有する周波数依存インピーダンス回路を通じて互いに電気的に接続されることを特徴とする。またそれにより、ＲＦアンテナおよび傾斜磁場コイルから信号線への電磁結合は、簡単に最小化することができる。【選択図】図４
2010234054.tif 000002
【特許請求の範囲】
【請求項１】
ＭＲＩ断層撮影装置における磁気共鳴（ＭＲＩ）実験時の生体監視用装置であって、試験対象の生体の夫々に導電接続されかつ信号線を介して監視装置に接続された１つ以上の電極を備え、前記信号線は夫々、インピーダンス回路を介して互いに電気的に接続されたライン部分を個別に備え、前記生体監視用装置は、これらのライン部分の固有周波数がＮＭＲ測定周波数より高く、かつ前記ライン部分はインピーダンスＺｎを有する周波数依存インピーダンス回路を通じて互いに電気的に接続されることを特徴とする生体監視用装置。
【請求項２】
前記ライン部分の固有周波数が、ＮＭＲ測定周波数の２倍を超えることを特徴とする請求項１に記載の生体監視用装置。
【請求項３】
前記インピーダンスＺｎを有する周波数依存インピーダンス回路は、そのリアクタンスがそのオーム抵抗より大きく、具体的にはそれらのオーム抵抗の少なくとも２倍大きい、好ましくは１０倍大きいことを特徴とする請求項１又は２記載の生体監視用装置。
【請求項４】
前記インピーダンスＺｎを有する周波数依存インピーダンス回路において、
ＮＭＲ共鳴周波数に対しては、｜Ｚｎ｜＞５００Ω
１００ＫＨｚ未満の周波数に対しては、｜Ｚｎ｜＜５０Ω
となるインピーダンス｜Ｚｎ｜が適用されることを特徴とする請求項１乃至３のいずれか１項に記載の生体監視用装置。
【請求項５】
前記インピーダンスＺｎを有するインピーダンス回路の少なくとも１部分として除波回路が用いられ、その共振周波数はＮＭＲ測定周波数に調整されることを特徴とする請求項１乃至４のいずれか１項に記載の生体監視用装置。
【請求項６】
前記インピーダンスＺｎを有するインピーダンス回路は少なくとも１部分としてインダクタを有することを特徴とする請求項１乃至５のいずれか１項に記載の生体監視用装置。
【請求項７】
前記インピーダンスＺｎを有するインピーダンス回路の少なくとも１部分は、次々に配設されかつそれらの内部に前記電極への前記信号線を含む「バズーカバラン」であることを特徴とする請求項１乃至６のいずれか１項に記載の生体監視用装置。
【請求項８】
前記信号線が、ＭＲＩ受信システムのＲＦアンテナの領域内において、前記ＲＦアンテナの運搬装置に機械的に取り付けられることを特徴とする請求項１乃至７のいずれか１項に記載の生体監視用装置。
【請求項９】
前記信号線の前記ＲＦアンテナの運搬装置上の位置として、前記ＲＦアンテナと前記信号線の間の電磁結合が実験の結果最小になる位置を選択することを特徴とする請求項８記載の生体監視用装置。
【請求項１０】
同じ配分のライン部分を有する複数の信号線が設けられ、前記信号線は、対応するライン部分が隣り合わせに配設されるように配置されることを特徴とする請求項１乃至９のいずれか１項に記載の生体監視用装置。
【発明の詳細な説明】
【技術分野】
【０００１】
本発明は、ＭＲＩ断層撮影装置における磁気共鳴（ＭＲＩ）実験時の生体監視用装置に関するものであって、この装置は、試験対象の生体の夫々に導電接続されかつ信号線を介して監視装置に接続された１つ以上の電極を備えており、この信号線は夫々、インピーダンス回路を介して互いに電気的に接続されたライン部分を個別に備える。
【背景技術】
【０００２】
この種の装置は、特許文献［７］に開示されているＭＲＩシステムであって、広く用いられている医療および診断装置である。ＭＲＩシステムの主な構成要素は、安定で非常に強い磁場（Ｂ０）を発生する磁石、付加的な可変磁場を発生する傾斜磁場コイル、および測定対象内にエネルギーを送信すると共にその測定対象からＮＭＲ信号を受信するために用いられるＲＦアンテナである。コンピュータは全体的な処理を制御しており、また、上記受信した情報を処理するためにも必要である。
【０００３】
ＭＲＩ測定の対象を、以下患者と呼ぶ。この用語にはまた、明示的に動物が含まれる。
【０００４】
場合によっては、ＭＲＩ試験時に患者を監視する必要がある。これは、（呼吸、血中酸素、体温等を監視するという）医学的な理由で必要となったり、またＭＲＩ実験における個々のスキャンを（ＥＣＧ，ＥＥＧ、または呼吸等の）患者の生理的変化と同期させたりするために必要となることがある。
【０００５】
何らかの形で患者を監視して行うＭＲＩ実験を、以下「監視ＭＲＩ実験」と呼ぶ。
【０００６】
監視ＭＲＩ実験の場合、監視電極が患者の身体に通常取り付けられる。電極は信号線を介して監視装置に接続されており、この電極からの信号が処理され表示される監視装置は、電磁的に遮蔽されたＭＲＩ領域の外側にしばしば配置される。
【０００７】
ＭＲＩ測定時には、患者を監視し、ＭＲＩ実験を開始する。これはＲＦパルスまたは傾斜磁場パルスにより、信号線に電流を誘起できることを意味する。これは特にこの信号線が、ＲＦアンテナや傾斜磁場の中に直接敷設されているときに起こるものであり、このような敷設は多くの場合不可避である。
【０００８】
傾斜磁場と信号線の間の結合
可変傾斜磁場がかかっている導体ループ（たとえば第１の電極−患者の身体−第２の電極−信号線の等価インピーダンス回路）内に電流が誘起されると、この電流により（たとえば電極と身体の接触点で）発熱が生じ、患者を火傷させ得る。
【０００９】
ＲＦアンテナと信号線の間の結合
信号線はそれら自体で、ＲＦアンテナの電磁場を受信するアンテナとして直接働く。これを、信号線とＲＦアンテナの間の結合と呼ぶ。信号線の長さと位置により、この結合の強さは変化する。送信時、すなわちＲＦアンテナを用いた送信の間、すなわち電力がシステム内へ放射されるときに、ＲＦアンテナと信号線の間の結合が強いと、信号線内に大きな電流の誘導が引き起こされ、この結果、信号線が発熱し、最悪の場合は患者を火傷させるという結果となる。
【００１０】
従来の公報では配慮されることがなかった事実の一つに、ＲＦアンテナと信号線の間の結合によりその信号線の近傍でＢ１磁場の歪が引き起こされると、ＭＲＩ画像内にアーチファクトが生じたり、極端な場合は患者を火傷させたりすることもあるということがある。これはたとえばＢ１磁場の歪が、患者の身体内にさらなる局所磁場を発生するときに起こり、その結果、過度のＲＦ電力がその場所に集中し、それによって過度の量の熱を発生する。受信時、すなわちＲＦアンテナが励起された核スピンからの信号を受信するときは、ＲＦアンテナと信号線の間の結合は、結果として不均一な明るさを生じる。フェーズドアレイコイルがＲＦアンテナとして用いられるような特別な場合は、個々のアレイコイルと信号線との結合は、個々のＲＦチャネル間のクロストークを増加させ、したがってＭＲＩ測定の信号対雑音比を悪化させる。
【００１１】
従来技術
ファン・ゲンデリンゲン等は、非特許文献１において、ＥＣＧ線としての炭素繊維の使用について述べている。この主な目的は、金属ＥＣＧケーブル使用時の傾斜磁場の磁場擾乱や付随するアーチファクトを減少させることである。現状では、炭素繊維のＥＣＧ線の使用は、一般的な方法となっている。炭素繊維からなる導線の抵抗は、１メートル当たり数百Ωの範囲となる。このような抵抗は、傾斜磁場の磁場干渉による画像アーチファクトを減少させるが、ＲＦ電流によるＥＣＧ線の発熱を防止や、ＲＦアンテナとＥＣＧ線の間の結合を確実に防止するには不十分である。
【００１２】
かかる見解に追随し、何らかの方法によって信号線のオーム抵抗の増加が試みられている複数の公報がある。
【００１３】
たとえば特許文献１〜３には、薄膜技術によって製造された信号線であって、１０，０００Ω／ｆｔの抵抗を有するものが記載されている。しかし、これは信号線の直流の分布抵抗を扱っているだけである。
【００１４】
特許文献４にも、ＭＲＩ用途向けに特に設計されたＥＣＧ線であって、そのＥＣＧ線または電極の発熱の防止を目的するものが記載されている。この場合のＥＣＧ線は、螺旋状に巻かれた、７．５〜３０  ＫΩ／ｍの抵抗を有するニッケルクロム（ニクロム）線である。この特許は、高いオーム抵抗がＥＣＧ線に用いられるときは、ＥＣＧ装置のコモンモードノイズを除去しなければならないという問題が生じないようにするために、これらは互いに正確に整合しなければならないという問題について述べている。したがって記載のＥＣＧケーブルは、非常に複雑で高価である。
【００１５】
特許文献５〜７では、信号線への１つ以上の個別オーム抵抗を導入することについて記載されている。特許文献７では、図１に示されるように、ＭＲＩ用途向けに特に設計されたＥＣＧ線であって、そのＥＣＧ線または電極の発熱を防止するものが記載されている。特許文献７では、この目的のためにはＥＣＧ線は高いＤＣ抵抗をもたなければならない点が主張されており、どのようにして３３〜１００  ＫΩの大きさの抵抗を電極またはＥＣＧケーブル内に組み込むかについて記載されている。この特許文献７では、所望の抵抗をより小さな抵抗に分割し、ＥＣＧケーブルの長さにわたってそれらを分散させることができることが記載されている。
【先行技術文献】
【特許文献】
【００１６】
【特許文献１】米国特許出願公開第２００６／０２４７５０９（Ａ１）号明細書（ＭＲＩで用いるためのＥＣＧケーブル）
【特許文献２】国際公開第２００６／１１６６７７（Ａ２）号明細書
【特許文献３】国際調査報告第２００６／１１６６７７（Ａ３）号（米国特許出願公開第２００６／０２４７５０９（Ａ１）号明細書（ＭＲＩで用いるためのＥＣＧケーブル）に関する「調査報告書」）
【特許文献４】米国特許第６，０３２，０６３号明細書（磁気共鳴イメージング時の生理学的監視用の抵抗分散型リード線ハーネスアセンブリ）
【特許文献５】特開２００４−７１５３６号明細書
【特許文献６】米国特許第４，１７３，２２１号明細書（ＥＣＧケーブル監視システム）
【特許文献７】米国特許第４，９５１，６７２号明細書（インピーダンス制御型監視リード線）
【非特許文献１】Ｒａｄｉｏｌｏｇｙ、１９８９年
【発明の概要】
【発明が解決しようとする課題】
【００１７】
しかし、特許文献７では、抵抗を配設しなければならない位置および距離間隔という最も重要な点の認識がされていない。さらにこの特許文献では、ＥＣＧ線とＲＦアンテナの間の結合メカニズムの把握がされていない。
【課題を解決するための手段】
【００１８】
本発明の装置
本発明の装置は、ＭＲＩ断層撮影装置におけるＭＲＩ実験時に生体を監視するために用いられ、この装置は、電気的に導通するように試験対象の生体に接続されかつ信号線を通じて監視装置に接続された１つ以上の電極を備えており、この信号線は夫々、インピーダンス回路を介して互いに電気的に接続されたライン部分を個別に備える。
【００１９】
本発明の目的は、ＲＦアンテナおよび傾斜磁場コイルから信号線への電磁結合を最小にすることである。
【００２０】
この目的は、これらのライン部分の固有周波数をＮＭＲ測定周波数より高くなるように、好ましくは２倍を超えるように選択し、且つこれらのライン部分を、インピーダンスＺｎを有する周波数依存インピーダンス回路を介して互いに電気的に接続することで、驚くほど簡単でまた効果的に実現される。
【００２１】
ＲＦアンテナと信号線の間の電磁結合を最小にすることにより、以下の効果が生じる。
・ＲＦアンテナによって放射されるＲＦ電力による、信号線および電極の発熱が低減され、それにより試験対象の生体が火傷してしまうことを防止し、また試験対象の生体の発熱を低減する。
・Ｂ１送受信磁場の磁場一様性が劣化するのを抑止し、これにより発生される付加的な画像アーチファクトが少なくなる。
・ＲＦアンテナによって発生し、生体の発熱や火傷を引き起こし得る、試験対象の生体の体内での過度のＲＦ磁場が低減される。
・信号線によって引き起こされ、受信システムの信号対雑音比を悪化させ得る、個々のフェーズドアレイコイル間のクロストークが少なくなる。
【００２２】
ＭＲＩ実験によって信号線に誘起される信号（ＲＦパルス、傾斜磁場パルス）であって、監視信号にアーチファクトを生ずる信号をなくすことは、本発明の主な目的ではない。この問題は、信号線を遮蔽し撚り合わせることによって容易に解決することができる。一方、以下に述べる構成要素は、信号線上のＲＦ電流を減衰させると同時に信号線を外部信号から遮蔽する。
【００２３】
信号線とＲＦアンテナの間の結合の問題は、単に信号線の周囲に遮蔽を取り付けることでは解決されない。これでは、単に不要な電流が遮蔽に流れるからである。
【００２４】
定義
ω：  ω＝２πｆ  ただし、ｆは核磁気共鳴周波数
Ｌ：  コイルのインダクタンス
ＲＦアンテナと信号線の間の結合を最小にする目的は、電極と監視装置の間の信号線を分断したライン部分を形成し、それらのライン部分がインピーダンス回路を介して互いに接続することにより達成される。従って、このライン部分の共振周波数がＮＭＲ共鳴周波数より大幅に大きい、好ましくは２倍超となる長さであって、かつこのライン部分を接続するインピーダンス回路のインピーダンスが上記周波数に依存するように、このライン部分の長さを選択する。
【００２５】
周波数に依存するように上記インピーダンスを選択することにより、ＮＭＲ共鳴周波数（１０から１０００ＭＨｚ）では非常に高いが、監視信号として注目される周波数（＜１００ＫＨｚ）では短絡が事実上生じるようなインピーダンス回路を選択することが可能となる。
【００２６】
信号線とＲＦアンテナの間の結合は、上記ライン部分の長さと、周波数依存インピーダンス回路とを正しく選択することで最小にすることができる。
【００２７】
本発明の他の利点は、説明および図面から導出できる。上記および以下で述べる特徴は、本発明の任意の組み合わせにおいて個別にまたは一括して用いることができる。図示され、および説明される実施形態は、網羅的な列挙であると理解されるべきではなく、本発明を説明するための例示的な性質のものである。
【００２８】
本発明は図面内に示され、実施形態に関連してより詳細に説明される。
【図面の簡単な説明】
【００２９】
【図１】従来技術による、監視信号用の信号ケーブルを示す図である。
【図２】複数のライン部分で構成されるケーブルを示す図であり、（ａ）は、ライン部分の長さが５０ｃｍ（３００ＭＨｚにてλ／２）の場合、（ｂ）は、ライン部分の長さが２５ｃｍ（３００ＭＨｚにてλ／４）の場合、（ｃ）は、ライン部分の長さが１６．６ｃｍ（３００ＭＨｚにてλ／６）の場合を示す。
【図３ａ】実験（２ａ）によるＭＲＩコイルの共振回路のＳ１１（反射係数）を示す図である。
【図３ｂ】実験（２ｃ）によるＭＲＩコイルの共振回路のＳ１１（反射係数）を示す図である。
【図３ｃ】実験（２ｄ）によるＭＲＩコイルの共振回路のＳ１１（反射係数）を示す図である。
【図３ｄ】実験（２ｅ）によるＭＲＩコイルの共振回路のＳ１１（反射係数）を示す図である。
【図４】集積された複数の信号線を有するＲＦアンテナを示す図である。
【図５】信号ケーブルを個々のライン部分に分割する、周波数依存インピーダンス回路としての除波回路を示す図である。
【図６】信号ケーブルを個々のライン部分に分割する、周波数依存インピーダンス回路としてのインダクタを示す図である。
【図７】信号ケーブルを個々のライン部分に分割する、周波数依存インピーダンス回路としての短縮されたバズーカバランを示す図である。
【図８】信号ケーブルを個々のライン部分に分割する、周波数依存インピーダンス回路としてのバズーカバランアレイを示す図である。
【図９】複数のＥＣＧケーブル、および上記個々のライン部分夫々に対する配置を示す図である。
【発明を実施するための形態】
【００３０】
以下に記載される簡単な実験により、上述した内容を説明・実証する。
【００３１】
このため、無負荷状態で３００ＭＨｚのＭＲＩコイル共振回路を５０Ωに最適に調整した。その後に、信号線を構成する複数の部分（以下、「ライン部分」という。）であって自由な（接地がされていない）ものを、異なる種類、ＭＲＩコイル内に導入し、ＭＲＩコイルの共振回路の不整合を記録した（この目的のために、共振回路のＳ１１（反射係数）が測定された）。その後に、ライン部分を用いて負荷を与えたＭＲＩコイルを最適に調整し、そのＭＲＩコイルの共振回路のＱ値を求めた。
【００３２】
無負荷状態と負荷状態の間のＱ値の減少は、ＭＲＩコイルと同コイル内の信号線との間の結合、またはＭＲＩコイルの外部すなわち信号線の内部をまたは信号線を介して消費される電力により直接測定される。
１．個々のライン部分の長さによる影響
以下の３つのケーブルは、順々に、ＭＲＩコイル内の同じ位置に正確に保持される。したがって各信号線のライン部分は、お互いに、電気的な接続はしない。
【００３３】
（１ａ）長さが５０ｃｍ（３００ＭＨｚにてλ／２）のライン部分からなるケーブル（図２（ａ）参照）
（１ｂ）長さが２５ｃｍ（３００ＭＨｚにてλ／４）のライン部分からなるケーブル（図２（ｂ）参照）
（１ｃ）長さが１６．６ｃｍ（３００ＭＨｚにてλ／６）のライン部分からなるケーブル（図２（ｃ）参照）
【００３４】
【表１】
2010234054.tif 000003
【００３５】
無負荷のコイルのＱ値は、３００ＭＨｚにて測定した結果、１２５となった。ＭＲＩコイルと信号線の間の結合はライン部分の長さに決定的に依存することが明らかとなった。これは、ライン部分の間のインピーダンス回路について所望のインピーダンス｜Ｚｎ｜（この場合は∞）を選択することができ、ライン部分の長さが過度に長いときは、ＭＲＩコイルと信号線の間の結合は大きいままとなることを意味する。
２．各ライン部分の間のインピーダンス回路のインピーダンスＺｎによる影響
図２（ｃ）に対応する、長さが１６．６ｃｍ（λ／６）のライン部分からなるケーブルが、ＭＲＩコイル内に保持される。これにより、各ライン部分が以下のインピーダンスＺｎをもつインピーダンス回路で接続される。
（２ａ）電気的に分断（図３ａに示される反射曲線）
（２ｂ）オーム抵抗４７Ω
（２ｃ）インダクタ１．５μＨ（図３ｂに示される反射曲線）
（２ｄ）除波回路（Ｌ＝２８ｎＨ、Ｑ＝１００）（図３ｃに示される反射曲線）
従来の炭素繊維ライン（ＤＣ抵抗：１８０Ω／ｍ）の影響も、基準として示す。
（２ｅ）炭素繊維ライン（図３ｄに示される反射曲線）
【００３６】
【表２】
2010234054.tif 000004
【００３７】
ＭＲＩコイルと信号線の間の結合は、分断部分にあるインピーダンス回路の、ＭＲＩコイルの共振周波数におけるインピーダンス｜Ｚｎ｜に大きく依存することが明らかに示されている。ＤＣ抵抗Ｒは結合に対して大きな影響は与えない。
【００３８】
図４は、磁気共鳴測定実行時に患者を監視する、本発明に係る生体監視用装置を示す図である。これにより、患者はＲＦアンテナ内のＭＲＩ磁石内に配置される。ＲＦアンテナの磁場内においては、信号線は何カ所かが周波数依存インピーダンス回路によって分断され、この結果、信号線は長さｌ＜λ／２、好ましくはｌ＜λ／４のライン部分に分かれる。
【００３９】
このような周波数依存インピーダンス回路の様々な実施形態が、図５〜８に示される。
【００４０】
上述の記載に基づく装置は、信号線上のＲＦ電流を少なくするために重要であり、インピーダンスＺｎを有するインピーダンス回路は、そのリアクタンスがオーム抵抗より大幅に大きい。具体的には、それらのオーム抵抗より少なくとも２倍であり、好ましくは１０倍を超える。これにより、高周波電流に対する影響は大きくなるが、低周波の監視信号がこのインピーダンスＺｎによって変化することはない。
【００４１】
上述の記載に基づく装置は、信号線上のＲＦ電流を少なくするために特に重要であり、ＮＭＲ共鳴周波数ではインピーダンスＺｎを有する周波数依存インピーダンス回路の皮相抵抗｜Ｚｎ｜は大きくなり（｜Ｚｎ｜＞５００Ω）、１００ＫＨｚ未満の周波数では小さくなる（｜Ｚｎ｜＜５０Ω）。
【００４２】
したがって信号線のオーム抵抗は、たとえば追加の純粋なオーム抵抗を信号線に導入するか、または信号線自体を適当な材料（たとえば炭素繊維）から製造することにより、上記インピーダンスＺｎとは無関係に制御することができる。
【００４３】
図５に示される一実施形態では、いわゆる除波回路がインピーダンスＺｎを有するインピーダンス回路の少なくとも一部分として用られ、その共振周波数をＮＭＲ測定周波数に調整する。
【００４４】
この実施形態においては、並列に接続されたインダクタとキャパシタを備える除波回路が一例として示される。使用される構成要素のＱ値が十分大きいと仮定すると、この実施形態では、ＲＦ電流は｜Ｚｎ｜≒ＱωＬの大きさのインピーダンスをもつ。オーム抵抗は、単にそのインダクタのオーム抵抗に相当する。これらの除波回路は、それ自体がＮＭＲ共鳴周波数で共振状態となるので、除波回路自体がＭＲＩコイルと結合する危険性がある。これを防止するため、除波回路を遮蔽するか、ＭＲＩコイルの磁場と除波回路の磁場が直交する方向に除波回路の向きを合わせなければならない。
【００４５】
図６に示される、より直接的な実施形態では、簡単なインダクタがインピーダンスＺｎを有するインピーダンス回路の少なくとも一部分として用いられる。このインダクタは、ＲＦ電流に対しては｜Ｚ｜＝ωＬの大きさのインピーダンス回路として働く。オーム抵抗は、単にそのインダクタを巻くための線材のオーム抵抗に相当する。
【００４６】
図７に示される他の一実施形態では、「バズーカバラン」がインピーダンスＺｎを有するインピーダンス回路の少なくとも一部分として用いられる。このバズーカバランは次々に配設されるものであって、信号線を包含する。これの利点は、信号線を外被の内部において長い距離にわたって延長することにより、信号線への信号の結合に対する遮蔽を追加的に行うことにある。この結果、複数のバズーカバランを次々に配設することによって信号線を実質的に完全に遮蔽することができる（図８参照）。
【００４７】
上述のすべてのＲＦ構成要素は、信号線上のＲＦ電流を減衰させ、それによってＲＦアンテナと信号線の間の結合を防止する。
【００４８】
ひいては、本発明の装置内で、ＭＲＩ受信システムのＲＦアンテナの領域内において信号線をＲＦアンテナの運搬装置上に機械的に取り付けやすくなる。これにより、ＲＦアンテナに対する信号線の残りの影響を一定のままとなり、ＲＦアンテナの範囲内で補償することができる。ＲＦアンテナの運搬装置上の信号線の位置は、さらにＲＦアンテナと信号線の間の電磁結合が最小になるような選択を実験的に行うことができる。
【００４９】
図４は、信号線がＲＦアンテナの運搬装置上に取り付けられたときに、患者または監視装置からの信号線を、ＲＦアンテナの運搬装置上に取り付けられた信号線に電気的に接続するためのプラグを用いることができることを示す。その結果として、もはや信号線をＲＦアンテナを通して導く必要がなくなるので、患者の準備がしばしば大幅に簡単になる。
【００５０】
通常、患者には２つ以上の信号線が接続される。この場合、同じ配分のライン部分を有する信号線が用いられるように注意が払われなければならず、これらの信号線は、対応するライン部分が隣り合わせに配設されるように配置される。そうでない場合はケーブルのインピーダンス回路が、ＲＦ電流に対して別の信号線のケーブルによって短絡され、したがって効果がなくなる可能性がある。信号線の隣接するライン部分は、信号線への信号の結合を最小にするために撚り合わされるべきである。図９は、２つの信号線の特別な場合に対する、上述したインピーダンス回路と信号線のライン部分との構成を示す。
【符号の説明】
【００５１】
１  ＲＦアンテナと監視装置の間の信号ケーブル
２  患者とＲＦアンテナの間の信号ケーブル
３  ＲＦアンテナ
４  監視装置
５  監視電極と監視装置の間の信号ケーブル
６  監視電極
７  監視電極−信号ケーブル接触点
８  監視電極と監視装置の間の信号ケーブルのライン部分
９  個々のライン部分間を隔てるオーム抵抗
１０  ２つのインピーダンス回路の間の距離
１１  信号ケーブルプラグ
１２  インダクタ
１３  キャパシタ
１４  バズーカバラン
１５  信号ケーブルとバズーカバランの外部導体の間の導電接触点
１６  バズーカバランの長さ
１７  バズーカバランの外部導体
１８  バズーカバランの外部導体と内部導体の間の誘電体
１９  ２つのバズーカバランの間の距離間隔
２０  患者
２１  ＲＦアンテナの運搬装置
２２  ＲＦアンテナの運搬装置に取り付けられた信号ケーブル
２３  信号線の各ライン部分間を隔てるインピーダンス回路
【図１】
2010234054.tif 000005
【図２】
2010234054.tif 000006
【図３ａ】
2010234054.tif 000007
【図３ｂ】
2010234054.tif 000008
【図３ｃ】
2010234054.tif 000009
【図３ｄ】
2010234054.tif 000010
【図４】
2010234054.tif 000011
【図５】
2010234054.tif 000012
【図６】
2010234054.tif 000013
【図７】
2010234054.tif 000014
【図８】
2010234054.tif 000015
【図９】
2010234054.tif 000016
【外国語明細書】
2010234054000001.pdf
2010234054000002.pdf
2010234054000003.pdf
2010234054000004.pdf